(57)【要約】【課題】簡易な構造で月、日、曜日を表示できかつ干支の形状とすることで従来の万年カレンダーと異なり、視覚を通じて美感をおこさせる意匠としての側面を併せ持った立体的な干支型カレンダーを提供する。【解決手段】  立体的な干支型カレンダーであって、カレンダー本体の内部に延設された環状部材に月及び日を表す文字が記載されており表示部の開口窓と一致させることで月及び日を表すため万年カレンダーとしての機能を有し、同時に干支の形状をしていることにより視覚を通じて美感をおこさせる意匠としての側面を併せ持った立体的な干支型カレンダーとする。【選択図】  図１
2018072573.tif 000002
【特許請求の範囲】
【請求項１】
立体的な干支型カレンダーであって、
前記立体的な干支型カレンダーは少なくとも頭部と胴部を備えたカレンダー本体と、
少なくとも２以上の開口窓からなる表示部及び
支持軸と該支持軸を横列に囲繞する２以上の環状部材からなる回転部とから構成され、
前記表示部は前記カレンダー本体の側部領域に設けられ、
前記回転部は前記カレンダー本体の内部に設けられ、
前記回転部の支持軸は前記カレンダー本体の内部に少なくとも一端が支持され延設され、
少なくとも１の環状部材には月を表す文字が記載され、
少なくとも他の１の環状部材は日を表す文字が記載されており、
前記環状部材の位置と前記表示部の開口窓の位置を対応させることで、前期環状部材の文字を前記開口窓から表示することを特徴とする立体的な干支型カレンダー。
【請求項２】
前記環状部材はさらに曜日を表す文字が記載された環状部材を備えることを特徴とする請求項１に記載の立体的な干支型カレンダー。
【請求項３】
前記環状部材を回転させることで、前記開口窓から表示する文字を変更できることを特徴とする請求項１または２に記載の立体的な干支型カレンダー。
【発明の詳細な説明】
【技術分野】
【０００１】
本発明は、立体的な干支型カレンダーであって、カレンダー本体の内部に延設された環状部材に月及び日を表す文字が記載されており表示部の開口窓と一致させることで月及び日を表すため万年カレンダーとしての機能を有し、同時に干支の形状をしていることにより視覚を通じて美感をおこさせる意匠としての側面を併せ持った立体的な干支型カレンダーに関する。
【背景技術】
【０００２】
カレンダーは月、日、曜日を確認するためによく用いられる。
カレンダーの種類は多く、設置する場所によって壁掛け式カレンダーと卓上式カレンダーに分類され、さらに月単位でめくる月めくり、週単位でめくる週めくりあるいは日単位でめくる日めくりなどに分類される。
【０００３】
通常のカレンダーは１年で使い終わるが、月、日、曜日を変更させることで半永久的に使用できる万年カレンダーも存在する。
万年カレンダーとしては例えば特許文献１に記載された円筒式回転カレンダーのように複数の穴が開いた外筒を回転させて月、日、曜日を設定するものや特許文献２のように木材のブロックを積み上げて月、日、曜日を設定するものが知られていた。
【先行技術文献】
【特許文献】
【０００４】
【特許文献１】実開平６−２１０６７号公報
【特許文献２】実用新案登録第３１７７８６５号公報
【発明の概要】
【発明が解決しようとする課題】
【０００５】
特許文献１のカレンダーは８４個の穴があけられた外筒と、日付数字が記載された内筒と、キャップ状の表示部とから構成されている。
特許文献１のカレンダーは日付数字を表示するため外筒に多くの穴を開ける必要があり、日付数字が記載された内筒には朔日がどの曜日の場合でも対応できるように、２から３１の数字を２つずつ記載する必要があるため作成するのに手間がかかった。
特許文献２のカレンダーは１から３１の数字が記載されたブロック、曜日が記載されたブロックおよび月が記載されたブロック等４９個のブロックから構成されている。
特許文献２のカレンダーは月が替わるたびに積み上げたブロックを崩し再度積み上げるため手間がかかった。
またこれらのカレンダーの外観は円柱と円錐、あるいは四角柱と三角錐が組み合わさった形状をしており美感をおこさせるものではなかった。
【課題を解決するための手段】
【０００６】
本発明は、上記した課題を解決するためになされたものであり、簡易な構造で月、日を表示できかつ干支の形状とすることで従来の万年カレンダーと異なり、視覚を通じて美感をおこさせる意匠としての側面を併せ持った立体的な干支型カレンダーを提供する。
【０００７】
本発明は、立体的な干支型カレンダーであって、
前記立体的な干支型カレンダーは少なくとも頭部と胴部を備えたカレンダー本体と、
少なくとも２以上の開口窓からなる表示部及び
支持軸と該支持軸を横列に囲繞する２以上の環状部材からなる回転部とから構成され、
前記表示部は前記カレンダー本体の側部領域に設けられ、
前記回転部は前記カレンダー本体の内部に設けられ、
前記回転部の支持軸は前記カレンダー本体の内部に少なくとも一端が支持され延設され、
少なくとも１の環状部材には月を表す文字が記載され、
少なくとも他の１の環状部材は日を表す文字が記載されており、
前記環状部材の位置と前記表示部の開口窓の位置を対応させることで、前期環状部材の文字を前記開口窓から表示することを特徴とする立体的な干支型カレンダーに関し、更に曜日を表示する環状部材を備えていてもよい。
【０００８】
本発明は、さらに前記環状部材を回転させることで、前記開口窓から表示する文字を変更することを特徴とする立体的な干支型カレンダーに関する。
【発明の効果】
【０００９】
本発明は、立体的な干支型カレンダーであって、カレンダー本体の内部に延設された環状部材に月及び日を表す文字が記載されており表示部の開口窓と一致させることで月及び日表すため万年カレンダーとしての機能を有し、同時に干支の形状をしていることにより視覚を通じて美感をおこさせ、意匠としての側面を併せ持った立体的な干支型カレンダーであることを特徴としている。
【００１０】
本発明によれば、前記環状部材を回転させることで表示する文字を変更することができる点に特徴を有する。
【図面の簡単な説明】
【００１１】
【図１】図１は本発明の実施例に係る立体的な干支型カレンダーの正面図である。
【図２】図２は本発明の実施例に係る立体的な干支型カレンダーの背面図である。
【図３】図３は本発明の実施例に係る立体的な干支型カレンダーの右側面図である。
【図４】図４は本発明の実施例に係る立体的な干支型カレンダーの左側面図である。
【図５】図５は本発明の実施例に係る立体的な干支型カレンダーの平面図である。
【図６】図６は本発明の実施例に係る立体的な干支型カレンダーの底面図である。
【図７】図７は本発明の他の実施例に係る立体的な干支型カレンダーの正面図である。
【図８】図８は本発明の他の実施例に係る立体的な干支型カレンダーの正面図である。
【図９】図９は本発明の他の実施例に係る立体的な干支型カレンダーの正面図である。
【発明を実施するための形態】
【００１２】
本発明の実施形態を図面の記載を用いて説明する。
本明細書中の記載で「正面」とは図１で表された部分、「背面」とは図２で表された部分、「右側面」とは図３で表された部分、「左側面」とは図４で表された部分、「平面」とは図５で表された部分、「底面」とは図６で表された部分を指す。
図１乃至図６は戌（犬）をモチーフにしたものである。
図１乃至図６では戌が伏せた状態をモチーフにしているが、干支によってさまざまな状態（姿勢）をモチーフにしてもよい。例えば巳（蛇）の場合はとぐろを巻いている状態、卯（うさぎ）や申（猿）の場合は後ろ足で立っている状態、午（馬）の場合は４本の足で立っている状態など様々な状態をモチーフにしても良い。
図７、図８及び図９はそれぞれ丑（牛）、未（羊）、酉（鶏）をモチーフにしたものである。丑や寅（虎）のような模様があるものは模様を任意に変更してもよく、酉や亥（猪）のように雌雄で形態が異なる生物は、雌雄どちらの形状をモチーフにしてもよい。
また亥をモチーフにした場合は、成体をモチーフにしてもよく、「瓜坊」と呼ばれる幼獣をモチーフにしてもよく、また酉の場合は雛でもよい。
干支によっては角、牙、髭、尾を有しているがこれらは頭部や胴部に取り付けられていてもよく、頭部や胴部に描かれていてもよい。
上記した以外にも干支の動物の形状や状態（姿勢）は任意に変更してもよい。
【００１３】
本発明の立体的な干支型カレンダーのカレンダー本体は少なくとも頭部（１）、胴部（２）を備えており、頭部と胴部が一体となっていてもよく、頭部を胴部に着脱可能に取り付けてもよい。
頭部の表情や模様は適宜変更してもよく、干支によって角や髭などを取り付けてもよく描いてもよい。
表示部はカレンダー本体の側部領域に設けられており、干支の胴体の正面でもよく平面でも良い。
カレンダー本体には、例えば図１に示すように側面に４つの開口窓（３）からなる表示部を有してもよい。
図６に示す通り内部に支持軸とこの支持軸を横列に囲繞する２以上の環状部材（４）からなる回転部を有していてもよい。
開口窓（３）は月、日を表示するために２以上設けることが好ましい。
開口窓の形状は丸、楕円あるいは四角であってもよいが特に限定されない。
開口窓の面積はすべて同じ大きさであってもよく、例えば月を表示する開口窓が日を表示する開口窓よりも大きくてもよい。
図１に示す通り月を表示する開口窓の右隣には「月」、日付を表示する開口窓の右隣には「日」、曜日を表す開口窓の右隣りには「曜日」との文字を胴部に記載してもよい。
開口窓は１つの環状部材に対応して１つでも良いが、２つの環状部材で２桁の数字を表す場合は２つの環状部材が表示できる大きさの開口窓が１つ設けられていてもよい。
【００１４】
前記回転部の支持軸は胴部の内部に延設されており、この支持軸を横列に囲繞するように２以上の環状部材が設けられている。
支持軸の設け方は例えば右側面と左側面とを結ぶように、あるいは正面と背面を結ぶように設けてもよいがこれに限定されない。
支持軸は前記カレンダー本体の内部に少なくとも一端が片持ち梁式に支持されてもよく、両端が支持されてもよい。
支持軸の直径は環状部材の直径と同じあるいは直径より大きいと環状部材が囲繞できないため小さい方が好ましいが、小さすぎると環状部材が垂れるため支持軸の直径は環状部材よりも小さすぎない方が良く、好ましくは直径より一回り小さい方がよい。
支持軸は例えば中実でもよく、中空であってもよい。
支持軸の一つの例は中空の円柱内にＸ字状の軸を入れて補強したものであるがこれに限定されない。
【００１５】
図６には環状部材に記載する文字の一例を示すが本発明はこれに限定されない。
環状部材は２以上設け、図６に示すように４つで構成してもよく、月を表す１の環状部材と日を表す１の環状部材の計２つから構成してもよい。
第１の環状部材（５）には１から１２の数字が記載されており、月を表す。
第２の環状部材（６）には０から３の数字、および第２の環状部材（６）に隣接する第３の環状部材（７）には０から９の数字が記載されているため組み合わせることで日を表す。
第４の環状部材（８）は曜日を表す漢字が記載されているため、曜日を表す。
月を表す場合には１つの環状部材に１から１２の数字を記載してもよく、２つの環状部材から構成してもよい。
日を表す場合も１つの環状部材に１から３１を記載してもよく、２つの環状部材から構成してもよい。
環状部材は月と日を表す環状部材から構成され、曜日、祝日の名称、六曜、記念日が記載された環状部材を設けてもよい。
環状部材に記載する文字は黒色であってもよく、色を分けてもよい。
例えば土曜を表す「土」や「ＳＡＴ」は青色、日曜を表す「日」や「ＳＵＮ」は赤色で記載してもよく、第２の環状部材に記載する「０」を他の文字より薄くしてもよい。
文字としてはアラビア数字、ローマ数字、英語、漢字などを用いることができ、文字に限らず図案化してもよい。
例えばさいころの目のように丸を複数設けて１から９の数を表してもよく、曜日の場合は三日月の図案にしてもよい。
環状部材の幅はすべて同じであってもよく、異なっていてもよい。
例えば２桁の数字を記載する環状部材は１桁の数字を記載する他の環状部材よりも幅が広くてもよい。
環状部材を回転させるために底面の開口部が設けられてもよい。
環状部材は円環形状でも良く、円筒形状でもよい。
【００１６】
本発明の立体的な干支型カレンダーの素材は紙であってもよく、木やプラスチックであってもよい。
本発明の立体的な干支型カレンダーを紙製とする場合に、ペーパークラフトとしてもよい。
ペーパークラフトとする場合、パーツとしては少なくとも頭部、胴部から構成されるが、干支によっては尾部や翼を設けてもよい。
加えてペーパークラフトは干支によってさまざまな色や模様を施してもよい。
【００１７】
本発明の立体的な干支型カレンダーをペーパークラフトとした場合に、頭部と胴部が一体のものとして組み立てられてもよく、頭部と胴部は別々に組み立てられた後に組み合わせてもよい。
頭部と胴部を別々に組み立てる場合、組み立てやすさから頭部には凹部を設け胴部には凸部を設けることが好ましいが逆でも良い。
頭部は耳や前に突き出した鼻や口を後から取り付けてもよく、干支によって耳の形状を適宜変更してもよく、例えば、卯の場合は長い耳を取り付けてもよい。
加えて頭部は干支によっては髭、角、模様があってもよい。
【００１８】
カレンダー本体には表示部の開口窓を設けるが初めから設けておいてもよく、後からくり抜いてもよい。
カレンダー本体の底面側は回転軸を取り付けるために開口部を有している方が好ましく、底面側全てが開口している必要は無く、胴部が殻のような形状になっていてもよい。
【００１９】
回転軸には環状部材を囲繞するが、環状部材は回転軸に接着しない。
回転軸は中空の円柱の内部にＸ字状の軸を入れて製作することで軸がつぶれにくく回転しやすくなるがこれに限定されない。
【００２０】
カレンダー本体には四肢を取り付けてもよく四肢の形状はモチーフにした干支及び状態（姿勢）によって適宜変更する。
例えば状態（姿勢）を変更する場合では、伏せている場合は四肢が折り曲げられた形状、立っている場合は略まっすぐな形状など適宜変更する。
さらに午の場合は他の干支よりも四肢が長くしてもよく、辰（龍）の場合は爪を付けてもよい。
また巳のように四肢が無い干支や、酉のように伏せた場合に体毛で足が隠れる干支の場合も四肢を付けなくてもよい。
【００２１】
干支によって尾部を設けてもよく、太さや長さを変更してもよい。
例えば子（ネズミ）の場合は細長く、戌の場合は太く長く等適宜変更してもよい。
また尾部は胴部と一体にしてもよく、上下左右に動かせるように取り付けてもよい。
【産業上の利用可能性】
【００２２】
本発明の立体的な干支型カレンダーは万年カレンダーとして機能するとともに、干支の形状をしているため美感を発揮するものである。
従来の万年カレンダーと違い、意匠としての側面を有しているためカレンダーとしてだけでなく装飾品として用いることができる。
【図１】
2018072573.tif 000003
【図２】
2018072573.tif 000004
【図３】
2018072573.tif 000005
【図４】
2018072573.tif 000006
【図５】
2018072573.tif 000007
【図６】
2018072573.tif 000008
【図７】
2018072573.tif 000009
【図８】
2018072573.tif 000010
【図９】
2018072573.tif 000011